(57)【特許請求の範囲】
【請求項１】
複数の静止画像データ及び複数の動画像データを記憶する画像データ記憶手段と、
前記画像データ記憶手段に記憶された静止画像データ及び動画像データを読み出すデータ読出手段と、
前記データ読出手段により読み出された静止画像データ及び動画像データを表示する表示制御手段とを備える画像データ表示装置において、
前記複数の静止画像データとそれぞれ対応付けられている静止画像表示時間長データが前記画像データ記憶手段に記憶されており、
カラオケの前奏時、間奏時、後奏時において、前記データ読出手段が前記静止画像データを前記画像データ記憶手段から読み出し、前記表示制御手段が当該静止画像データを表示し、
前記表示中の静止画像データの表示時間を計時する計時手段を備え、
前記計時手段によって計時された時間が前記表示中の静止画像データに対応付けられている静止画像表示時間長に達した際、画像データ記憶手段から次の静止画像データが前記データ読出手段により読み出され、前記表示制御手段により表示されることを特徴とする画像データ表示装置。
【請求項２】
前記複数の動画像データとそれぞれ対応付けられている動画像表示時間長データが前記画像データ記憶手段に記憶されており、
カラオケの歌詞表示時において、前記データ読出手段が前記動画像データを前記画像データ記憶手段から読み出し、前記表示制御手段が当該動画像データを表示し、
前記計時手段によって計時された時間が前記表示中の動画像データに対応付けられている動画像表示時間長に達した際、画像データ記憶手段から次の動画像データが前記データ読出手段により読み出され、前記表示制御手段により表示されることを特徴とする請求項１に記載の画像データ表示装置。
【請求項３】
カラオケ音楽演奏データにはジャンルデータが付属されており、前記画像データ記憶手段は、前記カラオケ音楽演奏データのジャンル毎に複数の静止画像データ及び動画像データが記憶されていることを特徴とする請求項１または請求項２に記載の画像データ表示装置。
【発明の詳細な説明】
【０００１】
【発明の属する技術分野】
本発明は、表示手段上に画像データを表示するに際して、その表示の基準となる所定の基準データに基づいて静止画像データと動画像データとを効率良く混在させて表示可能であり、もって各画像データを記憶するに必要なメモリ容量を格段に低減可能なコストの低い画像データ表示装置に関するものである。
【０００２】
【従来の技術】
一般に、例えば、従来のカラオケ装置においては、歌詞データを含むカラオケ音楽演奏データ及び背景映像データを記憶する記憶装置を備えており、使用者がカラオケ演奏を楽しむに際して、その所望するカラオケ曲の選曲番号をリモコン装置等を介して入力すると、選曲番号に対応するカラオケ音楽演奏データ及び背景映像データが記憶装置から読み出されるとともに、カラオケ音楽演奏データを再生演奏しつつ歌詞データ及び背景映像をモニタ上に表示している。この状態で使用者は、所望のカラオケ曲の演奏を楽しむことが可能となる。
【０００３】
また、近年普及している、所謂、通信カラオケ装置においては、カラオケ音楽演奏データがデータ配信センターから各カラオケ端末装置に配信されて記憶装置に記憶される点で前記の場合とは異なるが、各カラオケ端末装置にてカラオケ演奏を楽しむ場合には、前記と同様にして、使用者が選曲した選曲番号に対応するカラオケ音楽演奏データ及び背景映像データが記憶装置から読み出されるとともに、カラオケ音楽演奏データを再生演奏しつつ歌詞データ及び背景映像をモニタ上に表示してカラオケ演奏を楽しむものである。
【０００４】
前記したカラオケ装置にて、モニタ上に表示される背景映像は、通常、各カラオケ曲の雰囲気に合致する動画像であるのが一般的である。また、カラオケ演奏中にモニタ上では表面上静止画像として表示される場合もあるが、かかる場合、記憶装置における画像データは、静止画像データとしては記憶されておらず動画像データとして記憶され、処理されているのが現状である。
【０００５】
【発明が解決しようとする課題】
しかしながら、前記従来のカラオケ装置において、その記憶装置に記憶されている背景映像データは、モニタ上に表示される表示形態が動画像であるか静止画像であるかに拘わらず全て動画像データとして記憶されており、この結果、記憶装置に記憶される背景映像データは膨大なデータ量となり、これに伴って記憶装置には非常に大きな記憶容量が求められることとなる。
【０００６】
また、カラオケ装置にて再生演奏されるカラオケ音楽演奏データには、前奏部、間奏部、後奏部が設けられているのが一般的であり、これらの各前奏部、間奏部、後奏部では歌詞がモニタに表示されることはなく歌唱されない部分であることから、前奏部、間奏部、後奏部に対応してモニタ上に表示される背景映像としては必ずしも動画像である必要はない。この場合にも背景映像として動画像をモニタに表示することは記憶装置の記憶容量上極めて不経済であると言わざるを得ない。
【０００７】
本発明は前記従来の問題点を解消するためになされたものであり、表示手段上に画像データを表示するに際して、その表示の基準となる所定の基準データに基づいて静止画像データと動画像データとを効率良く混在させて表示可能であり、もって各画像データを記憶するに必要なメモリ容量を格段に低減してコストの低い画像データ表示装置を提供することを目的とする。
【０００８】
【課題を解決するための手段】
前記目的を達成するため請求項１に係る画像データ表示装置は、複数の静止画像データ及び複数の動画像データを記憶する画像データ記憶手段と、前記画像データ記憶手段に記憶された静止画像データ及び動画像データを読み出すデータ読出手段と、前記データ読出手段により読み出された静止画像データ及び動画像データを表示する表示制御手段とを備える画像データ表示装置において、前記複数の静止画像データとそれぞれ対応付けられている静止画像表示時間長データが前記画像データ記憶手段に記憶されており、カラオケの前奏時、間奏時、後奏時において、前記データ読出手段が前記静止画像データを前記画像データ記憶手段から読み出し、前記表示制御手段が当該静止画像データを表示し、前記表示中の静止画像データの表示時間を計時する計時手段を備え、前記計時手段によって計時された時間が前記表示中の静止画像データに対応付けられている静止画像表示時間長に達した際、画像データ記憶手段から次の静止画像データが前記データ読出手段により読み出され、前記表示制御手段により表示されることを特徴とする。
【０００９】
請求項１の画像データ表示装置では、データ読出手段を介して画像データ記憶手段から静止画像データ及び動画像データが読み出されるとともに、その読み出された静止画像データ及び動画像データが表示制御手段上に表示される。また、複数の静止画像データとそれぞれ対応付けられている静止画像表示時間長データが画像データ記憶手段に記憶されており、カラオケの前奏時、間奏時、後奏時において、静止画像データがデータ読出手段により画像データ記憶手段から読み出され、表示制御手段により表示される際、表示中の静止画像データの表示時間が計時されることが可能となる。このとき、カラオケ音楽演奏データにおける前奏部、間奏部、後奏部では歌詞が表示制御手段上に表示されることはなく歌唱されない部分であり、必ずしも動画像データを表示制御手段に表示させる必要はないことを勘案して、前奏部、間奏部、後奏部では静止画像データを表示制御手段に表示させるとともに、歌詞が表示されている間には動画像データを表示手段に表示させることにより、カラオケ音楽演奏データの再生演奏状態に対応して静止画像データと動画像データとを効率良く混在させて表示することが可能となる。
【００１０】
また、請求項１の画像データ表示手段では、計時手段によって計時された時間が表示中の静止画像データに対応付けられている静止画像表示時間長に達した際、画像データ記憶手段から次の静止画像データがデータ読出手段により読み出され、表示制御手段により表示されることが可能となり、複数の静止画像データを順次表示制御手段上に表示することが可能となる。このように、複数の静止画像データとそれぞれ対応付けられている静止画像表示時間長データを備えることにより、前奏時、間奏時、後奏時において、静止画像表示時間長データに基づき、静止画像データごとの表示時間を制御できるようになる。これにより、表示制御手段に表示される静止画像に変化させて新鮮味を付与しつつカラオケ演奏を楽しむことが可能となる。このとき、表示制御手段上に表示される静止画像データは、ランダムに選択してもよいし、また、所定の順序に従って選択してもよく、任意に選択することが可能である。
【００１１】
また、請求項２に係る画像データ表示装置は、請求項１の画像データ表示装置において、複数の動画像データとそれぞれ対応付けられている動画像表示時間長データが前記画像データ記憶手段に記憶されており、カラオケの歌詞表示時において、データ読出手段が前記動画像データを画像データ記憶手段から読み出し、表示制御手段が当該動画像データを表示し、計時手段によって計時された時間が前記表示中の動画像データに対応付けられている動画像表示時間長に達した際、画像データ記憶手段から次の動画像データがデータ読出手段により読み出され、表示制御手段により表示されることを特徴とする。請求項２の画像データ表示装置では、歌詞データに付属されている表示時間データに基づき、計時手段により表示時間が計時されている間においては、動画像データに付属されている表示時間データを勘案しつつ、複数の動画像データを順次表示手段上に表示することが可能となる。これにより、表示制御手段に表示される動画像に変化させて新鮮味を付与しつつカラオケ演奏を楽しむことが可能となる。このとき、表示手段上に表示される動画像データは、ランダムに選択してもよいし、また、所定の順序に従って選択してもよく、任意に選択することが可能である。
【００１２】
更に、請求項３に係る画像データ表示装置は、請求項１または請求項２の画像データ表示装置において、カラオケ音楽演奏データにはジャンルデータが付属されており、前記画像データ記憶手段は、前記カラオケ音楽演奏データのジャンル毎に複数の静止画像データ及び動画像データが記憶されていることを特徴とする。請求項３の画像データ表示装置では、カラオケ音楽演奏データに付属されたジャンルデータにより特定されるジャンル毎に、複数の静止画像データ及び動画像データが画像データ記憶手段に記憶されているので、カラオケ曲のジャンルに対応させて複数の静止画像データ及び動画像データの内から適宜選択して表示手段上に表示することが可能となる。
【００１３】
【００１４】
【００１５】
【発明の実施の形態】
以下、本発明に係る画像データ表示装置について、本発明を通信カラオケシステムにおけるカラオケ端末装置について具体化した実施形態に基づき図面を参照しつつ詳細に説明する。先ず、通信カラオケシステム及びそのカラオケ端末装置の概略構成について図１、図２に基づき説明する。図１は通信カラオケシステムを模式的に示す説明図、図２はカラオケ端末装置における制御系の構成を示すブロック図である。
【００１６】
先ず、図１に基づき通信カラオケシステムについて説明すると、この通信カラオケシステムは、通信センターのホストコンピュータ１と複数の各サブホストコンピュータ２とをＩＳＤＮ通信網３を介して接続し、また、各サブホストコンピュータ２と複数の各端末装置４とを電話網５を介して接続することにより構成されている。
【００１７】
ここに、ホストコンピュータ１は所定の１箇所に設置され、その大容量の記憶装置に記憶されているカラオケ音楽演奏データをＩＳＤＮ通信網３を介して各サブホストコンピュータ２に送信する。また、各サブホストコンピュータ２は、所定の地域（エリア）毎に１台設置されており、ホストコンピュータ１から受信したカラオケ音楽演奏データを電話網５を介して各端末装置４に配信するものである。更に、端末装置４は、基本的に、コンピュータシステムにより構成されており、例えば、カラオケボックス毎に１台設置されてカラオケボックスにおける各カラオケ室に配置されるカラオケ端末装置（図２に示す）に接続される。
【００１８】
次に、端末装置４に接続されるカラオケ端末装置の構成について図２に基づき説明する。図２において、カラオケ端末装置は、制御部６を核として構成されており、かかる制御部６には、記憶部７、通信部８、データ入力部９、入力部１０、表示制御部１１、及び、曲データ再生部１２がそれぞれ接続されている。尚、制御部６は、後述するように、各静止画像データ、動画像データに付属される時間データに基づき計時を行う内部タイマが付設されている。
【００１９】
ここに、記憶部７はハードディスクドライブ装置から構成されており、通信部８を介して受信されたカラオケ音楽演奏データ、静止画像データ、動画像データ等の各種のデータ、及び、後述する画像表示制御プログラム、その他カラオケ端末装置の制御上必要な各種のプログラムが記憶されている。通信部８は、ホストコンピュータ１、サブホストコンピュータ２、端末装置４を介してカラオケ音楽演奏データを受信する作用を行う。データ入力部９は、各種のメディア（例えば、ＤＶＤ（DIGITAL VIDEO DISC）、ＣＤ、テープ等）から背景映像データ（静止画像データ及び動画像データ）を入力する作用を行い、かかる背景映像データは静止画像データ、動画像データとして記憶部７に記憶される。入力部１０は、カラオケ装置の使用者がリモコン装置等を介して各種のリクエスト（選曲データ等）を入力するためのものである。表示制御部１１は、後述するように、記憶部７に記憶されているカラオケ音楽演奏データ中の前奏データ、間奏データ、後奏データ又は歌詞データに基づいて、静止画像データ又は動画像データを表示部１３に表示させる制御を行う。曲データ再生部１２は、記憶部７に記憶されているカラオケ音楽演奏データ中に含まれる伴奏データ（後述する）をカラオケ楽曲として再生する作用を行う。
【００２０】
ここで、前記記憶部７に記憶されているカラオケ音楽演奏データ、及び、背景映像データとしての静止画像データ、動画像データについて図３乃至図５に基づき説明する。図３はカラオケ音楽演奏データの構成を模式的に示す説明図、図４は静止画像データの記憶テーブルを模式的に示す説明図、図５は動画像データの記憶テーブルを模式的に示す説明図である。
【００２１】
先ず、図３に基づきカラオケ音楽演奏データの一例について説明する。かかるカラオケ音楽演奏データ１４は、前記のように、ホストコンピュータ１、サブホストコンピュータ２、端末装置４を介して配信されるデータであり、その１曲分は、曲のジャンルを示すジャンルデータ、曲のタイトルを示すタイトルデータ等が記憶されるヘッダ部１５、ヘッダ部１５に続いて演奏開始位置ＳＴから演奏終了位置ＥＤに渡って設けられカラオケ伴奏データが記憶される伴奏部１６、演奏開始位置ＳＴに連続して設けられ前奏データが記憶される前奏部１７、前奏部１７に続いて歌詞データが記憶される歌詞部１８、歌詞部１８に連続し間奏データが記憶される間奏部１９、間奏部１９の後に歌詞データが記憶される歌詞部２０、歌詞部２０の後にて後奏データが記憶される後奏部２１から構成されている。
【００２２】
ここに、前記前奏部１７に記憶されている前奏データ、間奏部１９に記憶されている間奏データ、及び、後奏部２１に記憶されている後奏データは、後述するように、それぞれ静止画像データを表示部１３に表示する際の基準データ（請求項１における第１基準データ）となり、また、歌詞部１８、２０に記憶されている歌詞データは、それぞれ動画像データを表示部１３に表示する際の基準データ（請求項１における第２基準データ）となる。
【００２３】
前記カラオケ音楽演奏データ１４において、演奏開始位置ＳＴから演奏終了位置ＥＤまでの時間（伴奏部の演奏時間）は当然に予め設定されており、また、各前奏部１７、間奏部１９、後奏部２１のそれぞれの演奏時間、歌詞部１８、２０の表示時間も予め設定されてそれぞれに記憶されている。
【００２４】
次に、記憶部７に記憶されている静止画像データについて図４に基づき説明する。図４において、静止画像データは、カラオケ曲のジャンル毎に対応して記憶されており、例えば、ジャンルＡは演歌、ジャンルＢはポップス、ジャンルＣはフォークソングのように対応されている。また、各ジャンル毎に複数の静止画像データが記憶されている。例えば、ジャンルＡに属する静止画像データとしては、静止画像データＡ１、静止画像データＡ２、静止画像データＡ３等が記憶されており、更に、各静止画像データＡ１、Ａ２、Ａ３等毎にそれぞれ時間データ５秒、１０秒、１５秒が付属されている。また、ジャンルＢに属する静止画像データとしては、静止画像データＢ１、静止画像データＢ２、静止画像データＢ３等が記憶されており、更に前記と同様に、各静止画像データＢ１、Ｂ２、Ｂ３毎にそれぞれ時間データ５秒、１０秒、１５秒が付属されている。更に、ジャンルＣに属する静止画像データとしては、静止画像データＣ１、静止画像データＣ２、静止画像データＣ３等が記憶されており、また、各静止画像データＣ１、Ｃ２、Ｃ３毎にそれぞれ時間データ５秒、１０秒、１５秒が付属されている。尚、前記では、３つのジャンルについて説明しているが、ジャンルの数及び各ジャンルにおける静止画像データの数は任意に設定することが可能である。
【００２５】
次に、記憶部７に記憶されている動画像データについて図５に基づき説明する。図５において、動画像データは、前記静止画像データの場合と同様に、カラオケ曲のジャンル毎に対応して記憶されており、また、各ジャンルは前記静止画像データのジャンルに対応されている。従って、ジャンルＡは演歌、ジャンルＢはポップス、ジャンルＣはフォークソングである。また、各ジャンル毎に複数の動画像データが記憶されている。例えば、ジャンルＡに属する動画像データとしては、動画像データＡ１、動画像データＡ２、動画像データＡ３等が記憶されており、更に、各動画像データＡ１、Ａ２、Ａ３等毎にそれぞれ時間データ２０秒、３０秒、４０秒が付属されている。また、ジャンルＢに属する動画像データとしては、動画像データＢ１、動画像データＢ２、動画像データＢ３等が記憶されており、更に前記と同様に、各動画像データＢ１、Ｂ２、Ｂ３毎にそれぞれ時間データ２０秒、３０秒、４０秒が付属されている。更に、ジャンルＣに属する動画像データとしては、動画像データＣ１、動画像データＣ２、動画像データＣ３等が記憶されており、また、各動画像データＣ１、Ｃ２、Ｃ３毎にそれぞれ時間データ２０秒、３０秒、４０秒が付属されている。
【００２６】
続いて、前記のように構成されたカラオケ端末装置において行われる画像表示制御について図６に基づき説明する。図６は画像表示制御プログラムのフローチャートである。
【００２７】
図６において、先ず、ステップ（以下、Ｓと略記する）１にてカラオケの演奏楽曲が確定される。この演奏楽曲の確定は、使用者がリモコン装置等を介して入力部１０に選曲番号を入力することにより行われる。このように、選曲番号が確定されると、その選曲番号に対応するカラオケ音楽演奏データ１４（図３参照）が読み出されるとともに、ヘッダ部１５に記憶されているタイトルデータに従ってそのタイトル静止画像が表示部１３に表示される（Ｓ２）。続くＳ３においては、カラオケ音楽演奏データ１４における演奏開始位置ＳＴから楽曲データの再生が開始される。このとき、先ず、前奏部１７の時間に対応して、楽曲データの前奏が再生される。
【００２８】
Ｓ４においては、前記のように読み出されたカラオケ音楽演奏データ１４中のヘッダ１５を参照してジャンルデータが取得され、その取得されたジャンルデータに基づき図４のテーブルからジャンルにマッチ（合致）する静止画像データが読み出されるとともに表示部１３に表示される。例えば、ジャンルデータがジャンルＡである場合には、図４のテーブルにおけるジャンルＡの静止画像データ中から適宜静止画像データが読出表示される。このとき、ジャンルＡに属する複数の静止画像データ中からいずれの静止画像データを選択するかについては、種々の選択方法が考えられ、例えば、ランダムに選択してもよい、また、所定の順序に従って選択してもよい。
【００２９】
前記のようにＳ４で静止画像データを表示している間においては、次のＳ５、Ｓ６における判断が行われる。即ち、先ずＳ５において、前記にて選択表示された静止画像データの表示限界時間に到達したかどうか判断される。かかる判断は、前奏部１７の長さに対応する時間内で、制御部６に設けられた内部タイマにより静止画像データに付属されている時間データを監視することにより行われる。Ｓ５における判断がＹＥＳである場合には、再度Ｓ４に戻ってジャンルにマッチする次の静止画像データが図４のテーブルから選択的に読み出されて表示部１３に表示される。Ｓ５の判断がＮＯの場合には、Ｓ６において歌詞部１８の歌詞データの表示部１３への表示が開始されたかどうか、即ち、前奏部１７に対応する時間の間伴奏データ１６の演奏（前奏）が終了した後に歌詞データが表示部１３に表示されて歌唱が開始されたかどうか判断される。Ｓ６の判断がＮＯの場合にはＳ５に戻り、また、Ｓ６の判断がＹＥＳの場合にはＳ７に移行する。
【００３０】
ここで、一例を挙げて説明すると、前奏部１７の長さが２０秒であるとし、また、Ｓ４で取得されたジャンルがジャンルＡであるとした場合において、例えば、先ず、静止画像データＡ１が表示部１３に表示される（Ｓ４）。ここに、静止画像データＡ１の時間データは５秒であるから、静止画像データＡ１の表示後５秒の間ではＳ５の判断はＮＯ、Ｓ６の判断もＮＯとなるので、５秒の間はこの処理が繰り返される。そして、５秒が経過した時点でＳ５の判断がＹＥＳとなり、再度Ｓ４に戻って次の静止画像データ（例えば、静止画像データＡ２）が表示部１３に表示される。この後、静止画像データＡ２の時間データを監視しながら、前奏部１７に対応する時間（２０秒）が経過するまで、前記の処理が行われる。
【００３１】
前奏部１７に対応する時間の間、前奏が演奏されて歌詞部１８の歌詞データの表示が開始された後（Ｓ６：ＹＥＳ）には、Ｓ７において前記Ｓ４にて取得されたジャンルデータに基づき図５のテーブルからジャンルにマッチ（合致）する動画像データが読み出されるとともに表示部１３に表示される。例えば、Ｓ４で読み出されたジャンルデータはジャンルＡであることから、図５のテーブルにおけるジャンルＡの動画像データ中から適宜動画像データが読出表示される。このとき、静止画像データの場合と同様に、ジャンルＡに属する複数の動画像データ中からいずれの動画像データを選択するかについては、種々の選択方法が考えられ、例えば、ランダムに選択してもよい、また、所定の順序に従って選択してもよい。
【００３２】
前記のようにＳ７で動画像データを表示している間においては、次のＳ８乃至Ｓ１０における判断が行われる。即ち、先ずＳ８において、１チャプター分の動画像データの表示が終了したかどうか判断される。ここに、１チャプターとは、図５のテーブルにおける各動画像データの単位（例えば、動画像Ａ１）として定義されている。かかる判断は、歌詞部１８に対応する時間内で制御部６に設けられた内部タイマにより動画像データに付属されている時間データを監視することにより行われる。Ｓ８における判断がＹＥＳである場合には、再度Ｓ７に戻って前記ジャンルにマッチする次の動画像データが図５のテーブルから選択的に読み出されて表示部１３に表示される。Ｓ８の判断がＮＯの場合には、Ｓ９において間奏が開始されたかどうか、即ち、歌詞部１８に対応する時間の間伴奏データ１６の演奏が終了した後に間奏部１９に対応して間奏の演奏が開始されたかどうか判断される。Ｓ９の判断がＹＥＳの場合には前記Ｓ４に戻り、また、Ｓ９の判断がＮＯの場合にはＳ１０に移行する。Ｓ１０では、後奏部２１に対応して後奏の演奏が開始されたかどうか、即ち、歌詞部２０に対応する時間の間伴奏データ１６の演奏が終了した後に後奏部２１に対応して後奏の演奏が開始されたかどうか判断される。Ｓ１０の判断がＮＯの場合にはＳ８に戻り、また、Ｓ１０の判断がＹＥＳの場合にはＳ１１に移行する。
【００３３】
ここで、前記の例に従って説明すると、歌詞部１８の長さが６０秒であるとした場合において、例えば、先ず、動画像データＡ１が表示部１３に表示される（Ｓ７）。ここに、動画像データＡ１の時間データは２０秒であるから、動画像データＡ１の表示後２０秒の間ではＳ８の判断はＮＯ、Ｓ９の判断はＮＯ、Ｓ１０の判断もＮＯとなるので、２０秒の間はこの処理が繰り返される。そして、２０秒が経過した時点でＳ８の判断がＹＥＳとなり、再度Ｓ７に戻って次の動画像データ（例えば、動画像データＡ２）が表示部１３に表示される。この後、動画像データＡ２の時間データを監視しながら、歌詞部１８に対応する時間（６０秒）が経過するまで、前記の処理が行われる。
【００３４】
尚、歌詞部１８の長さに対応する時間だけ動画像データが表示部１３に表示された後、間奏部１９に対応して間奏演奏が開始された場合（Ｓ９：ＹＥＳ）には、前記にて説明した前奏部１７における静止画像データの表示制御処理（Ｓ４、Ｓ５、Ｓ６）が行われる。ここでは、重複を避けるためその説明を省略する。
【００３５】
また、間奏部１９の長さに対応して間奏の演奏が終了した後、歌詞部２０の歌詞データの表示が開始された後（Ｓ６：ＹＥＳ）においては、前記した歌詞部１８における動画像データの表示制御処理（Ｓ７、Ｓ８、Ｓ９、Ｓ１０）が行われる。ここでは、重複を避けるためその説明を省略する。
【００３６】
前記Ｓ１０において後奏の演奏が開始された後（Ｓ１０：ＹＥＳ）には、Ｓ１１にて、前記Ｓ４におけると同様に、読み出されたカラオケ音楽演奏データ１４中のヘッダ１５を参照してジャンルデータが取得され、その取得されたジャンルデータに基づき図４のテーブルからジャンルにマッチ（合致）する静止画像データが読み出されるとともに表示部１３に表示される。
【００３７】
前記のようにＳ１１で静止画像データを表示している間においては、次のＳ１２、Ｓ１３における判断が行われる。即ち、先ずＳ１２において、前記に選択表示された静止画像データの表示限界時間に到達したかどうか判断される。かかる判断は、前記Ｓ５におけると同様であり、後奏部２１の長さに対応する時間内で、制御部６に設けられた内部タイマにより静止画像データに付属されている時間データを監視することにより行われる。Ｓ１２における判断がＹＥＳである場合には、再度Ｓ１１に戻ってジャンルにマッチする次の静止画像データが図４のテーブルから選択的に読み出されて表示部１３に表示される。Ｓ１２の判断がＮＯの場合には、Ｓ１３においてカラオケ音楽演奏データ１４の演奏が終了したかどうか判断される。演奏が終了されていない場合（Ｓ１３：ＮＯ）には再度Ｓ１２に戻って静止画像データの表示を続行し、また、演奏が終了された場合（Ｓ１３：ＹＥＳ）には画像表示制御処理が終了する。
【００３８】
以上詳細に説明した通り本実施形態に係るカラオケ端末装置では、使用者により入力部１０を介して入力された選曲番号に対応して、記憶部７からカラオケ音楽演奏データ１４を読み出し、そのカラオケ音楽演奏データ１４におけるヘッダ部１５中のジャンルデータに基づいて静止画像データテーブルを参照しつつ前奏部１７の前奏データ、間奏部１９の間奏データ、後奏部２１の後奏データに対応してそれぞれにつき定められた時間の間、静止画像データテーブルの複数の静止画像データから選択的に読み出すとともに表示部１３に表示し、また、前記ジャンルデータに基づいて動画像データテーブルを参照しつつ歌詞部１８、２０の歌詞データにつきそれぞれ定められた時間の間、動画像データテーブルの複数の動画像データから選択的に読み出すとともに表示部１３に表示するように構成したので、カラオケ音楽演奏データ１４に記憶されたデータの種類に対応して静止画像データ又は動画像データを各データテーブルから選択的に読み出して表示部１３上に表示することができ、これにより静止画像データと動画像データとを効率良く混在させて表示部１３に表示することができ、また、記憶部７の記憶容量を格段に低減してコストを低く抑制することができる。
【００３９】
また、カラオケ端末装置によりカラオケ演奏を楽しむ際に、カラオケ音楽演奏データ１４における前奏データ、間奏データ、後奏データに基づき前奏、間奏、後奏が再生演奏されている間には表示部１３上に静止画像データを表示し、また、歌詞データが表示部１３上に表示されている間には動画像データを表示部１３上に表示することができる。このとき、カラオケ音楽演奏データ１４における前奏部１７、間奏部１９、後奏部２１では歌詞が表示部１３上に表示されることはなく歌唱されない部分であり、必ずしも動画像データを表示部１３に表示させる必要はないことを勘案して、前奏部１７、間奏部１９、後奏部２１では静止画像データを表示部１３に表示させるとともに、歌詞部１８、２０に対応して歌詞データが表示されている間には動画像データを表示部１３に表示させることにより、カラオケ音楽演奏データ１４の再生演奏状態に対応して静止画像データと動画像データとを効率良く混在させて表示することができるものである。
【００４０】
更に、カラオケ音楽演奏データ１４のヘッダ部１５に記憶されたジャンルデータにより特定されるジャンル毎に、静止画像データテーブル、動画像データテーブルには複数の静止画像データ及び動画像データが記憶されているので、カラオケ曲のジャンルに対応させて複数の静止画像データ及び動画像データの内から適宜選択して表示部１３上に表示することができる。
【００４１】
また、前奏データ、間奏データ、後奏データに付属されている時間データに基づき、内部タイマにより演奏時間が計時されている間においては、静止画像データに付属されている時間データを勘案しつつ、複数の静止画像データを順次表示部１３上に表示し、また、歌詞データに付属されている時間データに基づき、内部タイマにより時間が計時されている間においては、動画像データに付属されている時間データを勘案しつつ、複数の動画像データを順次表示部１３上に表示するようにしているので、表示部１３に表示される静止画像及び動画像を順次変化させて新鮮味を付与しつつカラオケ演奏を楽しむことができる。
【００４２】
尚、本発明は前記実施形態に限定されるものではなく、本発明の要旨を逸脱しない範囲内で種々の改良、変形が可能であることは勿論である。
【００４３】
【発明の効果】
以上説明した通り請求項１の画像データ表示装置では、データ読出手段を介して基準データ記憶手段から第１基準データが読み出された場合、表示制御手段による制御下で、第１基準データに対応する静止画像データが画像データ記憶手段から読み出されるとともに、その読み出された静止画像データが表示手段上に表示される。また、データ読出手段を介して基準データ記憶手段から第２基準データが読み出された場合、表示制御手段による制御下で、第２基準データに対応する動画像データが画像データ記憶手段から読み出されるとともに、表示手段上に表示される。このように、請求項１の画像データ表示手段では、基準データの種類に対応して静止画像データ又は動画像データを画像データ記憶手段から選択的に読み出して表示手段上に表示することが可能となり、これにより静止画像データと動画像データとを効率良く混在させて表示することが可能となり、また、画像データ記憶手段の記憶容量を格段に低減してコストを低く抑制することが可能となる。
【００４４】
また、請求項２に係る画像データ表示装置では、第１基準データがカラオケ音楽演奏データにおける前奏データ、間奏データ、後奏データに対応され、また、第２基準データが歌詞データに対応されているので、カラオケ装置においてカラオケ演奏を楽しむ際に、前奏、間奏、後奏が再生演奏されている間には表示手段上に静止画像データを表示することが可能となり、また、歌詞データが表示手段上に表示されている間には動画像データを同様に表示手段上に表示することが可能となる。このとき、カラオケ音楽演奏データにおける前奏部、間奏部、後奏部では歌詞が表示手段上に表示されることはなく歌唱されない部分であり、必ずしも動画像データを表示手段に表示させる必要はないことを勘案して、前奏部、間奏部、後奏部では静止画像データを表示手段に表示させるとともに、歌詞が表示されている間には動画像データを表示手段に表示させることにより、カラオケ音楽演奏データの再生演奏状態に対応して静止画像データと動画像データとを効率良く混在させて表示することが可能となる。
【００４５】
更に、請求項３に係る画像データ表示装置では、カラオケ音楽演奏データに付属されたジャンルデータにより特定されるジャンル毎に、複数の静止画像データ及び動画像データが画像データ記憶手段に記憶されているので、カラオケ曲のジャンルに対応させて複数の静止画像データ及び動画像データの内から適宜選択して表示手段上に表示することが可能となる。
【００４６】
また、請求項４に係る画像データ表示装置では、前奏データ、間奏データ、後奏データに付属されている演奏時間データに基づき、計時手段により演奏時間が計時されている間においては、静止画像データに付属されている表示時間データを勘案しつつ、複数の静止画像データを順次表示手段上に表示することが可能となる。これにより、表示手段に表示される静止画像に変化させて新鮮味を付与しつつカラオケ演奏を楽しむことが可能となる。
【００４７】
更に、請求項５に係る画像データ表示装置では、歌詞データに付属されている表示時間データに基づき、計時手段により表示時間が計時されている間においては、動画像データに付属されている表示時間データを勘案しつつ、複数の動画像データを順次表示手段上に表示することが可能となる。これにより、表示手段に表示される動画像に変化させて新鮮味を付与しつつカラオケ演奏を楽しむことが可能となる。
【００４８】
以上の通り本発明は、表示手段上に画像データを表示するに際して、その表示の基準となる所定の基準データに基づいて静止画像データと動画像データとを効率良く混在させて表示可能であり、もって各画像データを記憶するに必要なメモリ容量を格段に低減してコストの低い画像データ表示装置を提供することができる。
【図面の簡単な説明】
【図１】通信カラオケシステムを模式的に示す説明図である。
【図２】カラオケ端末装置の構成を示すブロック図である。
【図３】カラオケ音楽演奏データの構成を模式的に示す説明図である。
【図４】静止画像データの記憶テーブルを模式的に示す説明図である。
【図５】動画像データの記憶テーブルを模式的に示す説明図である。
【図６】画像表示制御プログラムのフローチャートである。
【符号の説明】
１      ホストコンピュータ
２      サブホストコンピュータ
３      ＩＳＤＮ通信網
４      端末装置
５      電話網
６      制御部
７      記憶部
１１    表示制御部
１２    曲データ再生部
１３    表示部
１４    カラオケ音楽演奏データ
１５    ヘッダ部
１６    伴奏データ
１７    前奏部
１８    歌詞部
１９    間奏部
２０    歌詞部
２１    後奏部
【図１】
0004382883.tif 000002
【図２】
0004382883.tif 000003
【図３】
0004382883.tif 000004
【図４】
0004382883.tif 000005
【図５】
0004382883.tif 000006
【図６】
0004382883.tif 000007